(57)【要約】【課題】非接触ＩＣタグとしての通信距離が優れ、かつ耐水性や耐衝撃性および加撓性を保持しながら、さらに偽造防止等のセキュリティ性を向上できるＩＣタグ付き積層体を提供すること。【解決手段】支持基材上にＩＣチップとアンテナまたはアンテナ部材を具備したＩＣタグのＩＣチップを具備した面に、シリコン系樹脂層を積層する。シリコン系樹脂層は塗装（コーティング）またはフィルムにより積層される。さらに、その両面にパウチ用部材を積層してパウチ加工を施し、前記ＩＣタグを封入する。【選択図】  図１
2011095963.tif 000002
【特許請求の範囲】
【請求項１】
非接触通信機能を有するＩＣタグを装着した積層体であって、
支持基材上にＩＣチップとアンテナまたはアンテナ部材を具備したＩＣタグのＩＣチップを具備した面に、シリコン系樹脂層を積層したことを特徴とするＩＣタグ付き積層体。
【請求項２】
両面にパウチ用部材を積層しパウチ加工を施して前記ＩＣタグを封入したことを特徴とする請求項１に記載のＩＣタグ付き積層体。
【請求項３】
前記シリコン系樹脂層が塗装（コーティング）またはフィルムにより積層されていることを特徴とする請求項１または２に記載のＩＣタグ付き積層体。
【請求項４】
前記ＩＣタグは目視する向きによって色彩や画像が変化するホログラム部を有することを特徴とする請求項１から３のいずれかに記載のＩＣタグ付き積層体。
【発明の詳細な説明】
【技術分野】
【０００１】
本発明は、ＩＣタグを基材で封入加工した積層体に係り、特に、パウチ加工を施して耐水性を高めたＩＣタグ付き積層体に関する。
【背景技術】
【０００２】
従来、物品等に取り付けて製造工場や流通現場での工程管理や物流管理を行うタグとして、外部からの電波通信により情報記憶や読み取りを非接触で行うためのデータキャリアシステムを内蔵したＩＣタグを用いた個別認識管理システムが知られており、商品タグラベル、あるいは荷物やケースに取り付ける荷札等のための管理システムとして、広範囲な用途に利用されている。
【０００３】
例えば、衣類やバッグ、靴などの商品にＩＣタグを取り付けた場合、その製品の固有識別番号や製造履歴情報、あるいは流通情報などといった固体識別情報をＩＣタグ内のＩＣチップに記憶させておき、それらの情報を読み取ることによって、その固体の識別や流通経路の特定が可能になり、トレーサビリティやセキュリティ面で寄与する。
【０００４】
ただし、これらの商品は洗濯することや雨に晒されて濡れることを考えなければならず、ＩＣタグが耐水性を備えていることが必要である。また通常使用の範囲内で耐衝撃性や可撓性などを保持することも必要になる。（なお、可撓性とは、材料の屈曲性や柔軟性、たわみ性が大きいことを表す。）
【０００５】
そのため、ＩＣタグを耐水性基材で挟み込み封入することによってＩＣタグを保護することが行われている。（例えば下記特許文献１を参照。）
【先行技術文献】
【特許文献】
【０００６】
【特許文献１】特開２００７−２９３７３９号公報
【発明の概要】
【発明が解決しようとする課題】
【０００７】
しかしながら、ＩＣタグに耐水性を備えるために保護基材として例えばプラスチック材を用いたような場合、通信時の電流損失増大などの通信阻害要因によって、保護基材なしの場合よりも通信距離が短くなってしまい、本来の非接触ＩＣタグの用途における情報のトレーサビリティにおいて不具合が生じるおそれがあった。
【０００８】
また、耐衝撃性や可撓性（屈曲性）においても、充分な特性を得るためには保護基材の厚さをその分厚くしなければならず、製品にＩＣタグを取り付けて使用する際に、製品特性によってはその厚みのために流通時の取り扱いなどに支障が生じることがあった。またさらに、偽造防止などのセキュリティ面においては特段寄与するものではなかった。
【０００９】
本発明は上記問題を解決するためになされたものであり、耐水性や耐衝撃性および加撓性を保持しながら、さらに偽造防止等のセキュリティ性を向上できるＩＣタグ付き積層体を提供することを目的とする。
【課題を解決するための手段】
【００１０】
請求項１の発明に係るＩＣタグ付き積層体は、
支持基材上にＩＣチップとアンテナまたはアンテナ部材を具備したＩＣタグのＩＣチップ
を具備した面に、シリコン系樹脂層を積層したことを特徴とする。
【００１１】
請求項２の発明に係るＩＣタグ付き積層体は、
両面にパウチ用部材を積層しパウチ加工を施して前記ＩＣタグを封入したことを特徴とする。
【００１２】
請求項３の発明に係るＩＣタグ付き積層体は、
前記シリコン系樹脂層が塗装（コーティング）またはフィルムにより積層されていることを特徴とする。
【００１３】
請求項４の発明に係るＩＣタグ付き積層体は、
前記ＩＣタグが、目視する向きによって色彩や画像が変化するホログラム部を有することを特徴とする。
【発明の効果】
【００１４】
本発明のＩＣタグ付き積層体によれば、支持基材上にＩＣチップとアンテナとを具備した面にシリコン系樹脂層を積層したことによって、非接触での外部との通信距離が増大するので、トレーサビリティが向上し、多様な用途に適用可能となる。
また、ＩＣタグの両面にパウチフィルムあるいはシリコン系樹脂層を積層してパウチ加工することによって、耐水性や耐薬品性、耐衝撃性および可撓性が向上するので、ＩＣタグの耐久性に優れる。さらにＩＣタグ内にホログラムのような光学変化デバイスを備えることによって、外観的に美麗な効果が得られると同時に偽造が著しく困難となるので、セキュリティ性が向上する。
【図面の簡単な説明】
【００１５】
【図１】本発明のＩＣタグ付き積層体における第一の実施例の断面を示す図である。
【図２】本発明のＩＣタグ付き積層体における第一の実施例の層構成を示す図である。
【図３】本発明のＩＣタグ付き積層体において測定用試料の断面を示す図である。
【図４】本発明のＩＣタグ付き積層体における第二の実施例の断面を示す図である。
【発明を実施するための形態】
【００１６】
以下、本発明に係るＩＣタグ付き積層体の実施の態様を、図面を参照しながら詳細説明する。
【実施例１】
【００１７】
図１および図２は、本発明の第一の実施例のＩＣタグ付き積層体１の断面および層構成を示す図である。この実施例では、支持基材２上にＩＣチップ４とアンテナ３を備えてなるＩＣタグのＩＣチップ４が有する面にシリコン系樹脂層５が積層されており、さらにこのＩＣタグの両面を完全に被覆するようにパウチフィルム６が重ねられ、加熱圧着により両面がパウチ加工されてＩＣタグが封入される。
【００１８】
このような非接触型ＩＣタグは、一般にＩＣチップ４とアンテナ３および支持基材２とを基本要素として構成されている。前記アンテナ３はＩＣチップ４と電気的に接続されており、アンテナ３が電波を受信するとアンテナコイルによる誘導電流が発生し、ＩＣチップ４の電子回路が働いて外部とのデータ通信が行われ、データの読み書きや記憶等ができる。
【００１９】
前記支持基材２は公知の樹脂材料を用いることができるが、例えば、ポリエステル樹脂、エポキシ樹脂、ポリイミド樹脂等のフィルムあるいはシートを用いる。また、前記アンテナ３は公知の導電性材料を用いることができるが、例えば、銅箔等の金属材料や導電性ペーストが使用される。
【００２０】
前記シリコン系樹脂層５の材料であるシリコン系樹脂は、シロキサン結合（Ｓｉ−Ｏ−Ｓｉ）による主骨格を持つ合成高分子化合物であり、一般に通称名としてシリコンと呼ばれることもあるが、元素単体のシリコン（珪素）とは区別する必要がある。シリコン系樹脂は高い絶縁性を有し、かつ可撓性（樹脂の屈曲性、柔軟性に富む性質）の高い材料であって、積層する際には、例えば、接着剤を介して前記支持基材２と接着する。
【００２１】
本発明において、前記支持基材２およびパウチフィルム６の大きさ、形状、厚みは特に限定しないが、形状は長方形や円形、楕円形などの平板状、あるいはその断面において中心部が厚く周辺部が薄くなったような、段差または傾斜のある形状とすることができる。また、その大きさはＩＣタグの用途に併せて適宜選択することができる。
厚みも製品の用途に応じて適宜選択することができるが、耐水性、耐薬品性、耐衝撃性などの要求特性を満たせるような厚みを確保することが望ましい。
【００２２】
前記パウチ加工は、前記ＩＣタグにシリコン系樹脂層５を積層した後、その両面をパウチフィルム６で全体を覆うように被覆し、熱および圧力を加えることによって全体が接着されて一体化する加工方法である。
パウチ加工方法やその素材には各種あり、本発明では特に限定しないが、例えばポリエステル製フィルムを用いて熱圧着法により接着するもの、あるいはアルミ蒸着フィルムや合成樹脂フィルムの積層フィルムを用いるもの等があり、ＩＣタグの用途により適宜選択することが好ましい。
【００２３】
また、パウチフィルム６の厚さも適宜選択できるが、用途により耐性が重視される場合は厚い方が好ましい。また、パウチ加工を施した外形も四角形や円形などでもよく、特に限定しないが、四角形の場合はその四隅を丸く切り取ることにより安全性を確保することが好ましい。
【００２４】
パウチ加工においてポリエステルフィルム等を用いずに、前記シリコン系樹脂をパウチフィルム６として用いて、ＩＣタグの両面を被覆するように積層し、パウチ加工を行ってもよい。この場合、ＩＣタグとシリコン系樹脂層５の中間に接着剤層を設けて、パウチ加工を施してもよい。
【００２５】
（通信距離の比較測定実験）
本発明の発明者らは、非接触ＩＣタグに前記シリコン系樹脂を積層したときの通信距離に及ぼす影響について、実際に測定実験を行った。
【００２６】
この測定実験では、測定対象として次の３種類の試料を用意した。
試料(Ａ)：ＩＣタグにシリコン系樹脂層を積層しさらにパウチ加工を実施。
試料(Ｂ)：ＩＣタグのみで積層物なし。
試料(Ｃ)：ＩＣタグにパウチ加工を実施。
これらの中では、試料(Ａ)が本発明のＩＣタグ付き積層体であり、試料(Ｂ)、(Ｃ)はこの実験の比較対象物である。
図３(Ａ)、(Ｂ)、(Ｃ)にこれらの試料の構成の断面図を示す。
【００２７】
なお、本実験においてＩＣチップおよびアンテナは同一種類のものを使用した。これは、非接触ＩＣタグの通信距離がＩＣの性能、アンテナのパターン、材質などによって左右されるので、それらを同一条件とするためである。
【００２８】
この測定実験においては、前記３種類の試料をそれぞれ２０個ずつ作製し、ＳＥＫＯＮ
ＩＣ社製ハンディリーダ−Ｒ００１Ｍを測定機として使用し、送信出力は１０ｍＷ／ＭＨｚ以下、電波規格はＡＲＩＢＳＴＤ−Ｔ８１、使用周波数は２４００〜２４８３．５ＭＨｚ、偏波方式は円偏波を用い、所定の条件で通信が正常に行われる距離を測定した。
【００２９】
また、試料を載置する方向によっても、前記測定方法では通信距離に差異が生じるが、その差異はアンテナのパターンの形状設計に依存するものであって、目的とする試料構成による差異とは関係がない。これを区別するため、測定器電極に対しての試料の載置方向を平行および垂直とし、それぞれについて通信可能な最大距離を測定した。
下記の表１に、これらの条件で測定した通信距離の結果を示す。
【表１】
2011095963.tif 000003
【００３０】
表１の測定結果によれば、試料(Ａ)の通信距離の平均値は、試料(Ｂ)および試料(Ｃ)と比較して、試料の載置方向が平行方向、垂直方向のどちらの場合も大きかった。この結果から、シリコン系樹脂層を積層したことにより、ＩＣタグの通信距離が増大する効果が得られることがわかった。
【００３１】
また、表１の測定結果では、試料(Ｃ)の通信距離が試料(Ｂ)のそれよりも大きいことから、パウチフィルムによりパウチ加工を施しただけでは通信距離は大きくならず、逆に効果を低下させてしまうことがわかる。
【実施例２】
【００３２】
次に、本発明の第二の実施例として、光学変化デバイスであるホログラム部を有するＩＣタグを用いた事例を説明する。なお、このような構成のＩＣタグをＩＣホログラムと称することがある。
【００３３】
図４は、本発明の第二の実施例のＩＣタグ付き積層体２１の構成を示す図である。図４(ａ)はＩＣホログラム２０の断面構造を示し、支持基材であるＰＥＴ基材１３の下方に、ホログラム層１１と、アルミ蒸着部１０と、マスク層１２と、隠蔽層１４とがこの順に積層され、さらにその下にアンテナである印刷ストラップ１５と、ＩＣチップ４、シリコン系樹脂層５、粘着剤層１６とが積層されている。この構成においてはアルミ蒸着部１０がアンテナとしての役割を果たしている。
【００３４】
図４(ｂ)は、図４(ａ)で示されたＩＣホログラム２０の両面に、パウチフィルム６を完全に被覆するように積層し、パウチ加工を施してＩＣタグ付き積層体２１としたものである。
【００３５】
前記ホログラムとは、ユーザが見る角度により色の変化を生じる多層薄膜である光学変化デバイス（optical variable device: OVD）の一種であり、ＩＣタグ用途としてはクレジットカードや有価証券、証明書類等の偽造防止手段として用いられる。
また、ホログラムは、光の干渉効果を用いて立体画像や特殊な装飾画像を表現することができるため、前記偽造防止手段の他に装飾効果を高める目的においても使用できる。
【００３６】
このＩＣホログラムを用いて、前記第一の実施例の場合と同様に非接触通信距離の測定実験を行ったところ、その測定結果においても前記と同様な結果が得られた。すなわち、シリコン系樹脂層を積層したことにより通信距離が増大する効果が得られた。
【００３７】
さらに、本発明のＩＣタグ付き積層体の他の実施態様としては、シリコン系樹脂層とパウチフィルムの中間層としてさらに外層基材を積層することもできる。例えば、外層基材材料としてポリスチレンやＰＥＴ（ポリエチレンテレフタレート）のような合成樹脂を用いて、耐性をさらに向上させることができる。
【産業上の利用可能性】
【００３８】
本発明に係るＩＣタグ付き積層体によれば、非接触型ＩＣタグとしての通信距離が増大する効果とともに、耐水性や耐薬品性、耐衝撃性を向上させることができ、より広い用途に用いることができる。
【符号の説明】
【００３９】
１    ＩＣタグ付き積層体
２    支持基材
３    アンテナ
４    ＩＣチップ
５    シリコン系樹脂層
６    パウチフィルム
１０    アルミ蒸着部
１１    ホログラム層
１２    マスク層
１３    ＰＥＴ基材
１４    隠蔽層
１５    印刷ストラップ（アンテナ）
１６    粘着剤層
２０    ＩＣホログラム
２１    ＩＣタグ付き積層体
【図１】
2011095963.tif 000004
【図２】
2011095963.tif 000005
【図３】
2011095963.tif 000006
【図４】
2011095963.tif 000007